(57)【特許請求の範囲】
【請求項１】
間仕切りパネルを接圧面に固定する接圧装置を備えた間仕切りパネルにおいて、
前記接圧装置は、
パネル本体に固定される支持部材と、
前記支持部材に沿って移動可能な移動部材と、
前記パネル本体に対し出没可能な接圧材と、
前記支持部材と前記移動部材を連結するとともに、前記移動部材と前記接圧材を連結するリンク部材と、
前記接圧材を出方向に付勢する第１の付勢手段と、
前記移動部材に装着され、作動面に押圧可能な作動手段とを備え、
前記リンク部材は、
前記間仕切りパネルが前記作動面に対し接近する方向に移動して前記作動手段が前記作動面に押圧されたとき、前記移動部材の移動に伴って前記接圧材を出方向に動作させ、前記第１の付勢手段の付勢力が前記接圧材を前記接圧面に接圧する方向のみに作用する接圧状態とし、前記間仕切りパネルが前記作動面に対し離間する方向に移動して前記作動手段と前記作動面との押圧状態が解除されたとき、前記接圧状態を解除させるように前記接圧材を没方向に動作させて前記接圧面から離間させ、
前記支持部材、前記移動部材、前記接圧材、前記リンク部材、及び前記第１の付勢手段は、前記支持部材と、前記移動部材と、前記リンク部材とを連結する第１の連結部と、前記リンク部材、前記接圧材及び前記第１の付勢手段の一方の端部を連結する第２の連結部と、前記移動部材と、前記リンク部材と、前記第１の付勢手段の他方の端部とを連結する第３の連結部とからなる３つの連結部を介して連結されていることを特徴とする間仕切りパネル。
【請求項２】
間仕切りパネルを接圧面に固定する接圧装置を備えた間仕切りパネルにおいて、
前記接圧装置は、
パネル本体に固定される支持部材と、
前記支持部材に沿って移動可能な移動部材と、
前記パネル本体に対し出没可能な接圧材と、
前記支持部材と前記移動部材を連結するとともに、前記移動部材と前記接圧材を連結するリンク部材と、
前記接圧材を出方向に付勢する第１の付勢手段と、
前記移動部材に装着され、作動面に押圧可能な作動手段とを備え、
前記リンク部材は、
前記間仕切りパネルが前記作動面に対し接近する方向に移動して前記作動手段が前記作動面に押圧されたとき、前記移動部材の移動に伴って前記接圧材を出方向に動作させ、前記第１の付勢手段の付勢力が前記接圧材を前記接圧面に接圧する方向のみに作用する接圧状態とし、前記間仕切りパネルが前記作動面に対し離間する方向に移動して前記作動手段と前記作動面との押圧状態が解除されたとき、前記接圧状態を解除させるように前記接圧材を没方向に動作させて前記接圧面から離間させ、
前記支持部材、前記移動部材、前記接圧材、前記リンク部材、及び前記第１の付勢手段は、前記支持部材と、前記移動部材と、前記リンク部材とを連結する第１の連結部と、前記リンク部材、前記接圧材及び前記第１の付勢手段の一方の端部を連結する第２の連結部と、前記移動部材、前記接圧材及び前記リンク部材を連結する第３の連結部と、前記リンク部材と前記第１の付勢手段の他方の端部を連結する第４の連結部とからなる４つの連結部を介して連結されていることを特徴とする間仕切りパネル。
【請求項３】
前記接圧材を前記パネル本体側へ引き込む方向に付勢する第２の付勢手段とを備えたことを特徴とする請求項１又は請求項２に記載の間仕切りパネル。
【請求項４】
前記リンク部材には、前記第２の連結部の構成要素である第１の連結部材の移動を案内する第１のリンク案内溝が形成されており、
前記第１のリンク案内溝は、前記接圧材が前記移動部材から離間する方向に移動した時に前記第１の連結部材の移動を規制する終端部位が少なくとも円弧状に形成されていることを特徴とする請求項１に記載の間仕切りパネル。
【請求項５】
前記移動部材には、前記第３の連結部の構成要素である第２の連結部材の移動を案内する第２のリンク案内溝が形成されており、
前記第２のリンク案内溝は、前記接圧材が前記移動部材から離間する方向に移動した時に前記第２の連結部材の移動を規制する終端部位が少なくとも円弧状に形成されていることを特徴とする請求項１〜４のいずれか一項に記載の間仕切りパネル。
【発明の詳細な説明】
【技術分野】
【０００１】
本発明は、接圧板により該パネルを接圧面に対して固定する間仕切りパネルに関する。
【背景技術】
【０００２】
従来、室内空間を適宜に区画可能な間仕切りパネルとしては、多数枚のパネルをハンガーレールに沿って移動可能に支持し、各パネルをハンガーレールに沿って引き出して召し合わせるものがある。また、各パネルには、接天部材及び接床部材が備えられ、各パネルが召し合わされた状態で接天部材が天井面に押し付けられるとともに、接床部材が床面に押し付けられて、遮音性及び気密性が確保される。このような間仕切りパネルでは、パネル側面に露出される操作軸に操作ハンドルを嵌合し、その操作ハンドルを操作することにより接天部材を天井面に圧接するとともに、接床部材を床面に圧接するようにしたものがある（例えば、特許文献１参照）。特許文献１では、潜り戸を設ける間仕切りパネルにおいて、前記操作ハンドルの操作により、パネル本体は、天井面と床面の両面に固定されるようになっている。そして、潜り戸は、当該潜り戸が備えるロッドをパネル本体のロッド受け部に押し当てることで前記両面の間に固定されるようになっている。
【特許文献１】特許第３７１５９１５号公報
【発明の開示】
【発明が解決しようとする課題】
【０００３】
ところで、特許文献１の間仕切りパネルのように、潜り戸を備える間仕切りパネルでは、パネル本体のロッド受け部に潜り戸のロッドが押し当てられない限り潜り戸を前記両面に固定することが出来ず、間仕切りパネル自体も固定することができない。このため、潜り戸付きの間仕切りパネルを前記両面に固定する場合、ロッド受け部をロッドが押し当てることができる状態にするための機構を備えるとともに、前記状態にするために間仕切りパネル自体をロックするロック機構が必要である。すなわち、特許文献１のように操作ハンドルを操作するなどして、前記両面に間仕切りパネル自体に固定する作業が必要であった。また、潜り戸を備えないような間仕切りパネルを固定する場合においても、間仕切りパネル自体を固定するためには、操作ハンドルを操作したり、床面に丸落し穴を形成して当該穴に固定ロッドを挿入して固定したりする必要があった。このため、間仕切りパネルを固定するためには、固定作業が面倒であるとともに、丸落し穴などを別途設ける作業が必要であった。
【０００４】
本発明は、このような実情に鑑みてなされたものであり、その目的は、容易に接圧面に固定することができる間仕切りパネルを提供することにある。
【課題を解決するための手段】
【０００５】
上記目的を達成するために請求項１及び請求項２に記載の発明は、間仕切りパネルを接圧面に固定する接圧装置を備えた間仕切りパネルにおいて、前記接圧装置は、パネル本体に固定される支持部材と、前記支持部材に沿って移動可能な移動部材と、前記パネル本体に対し出没可能な接圧材と、前記支持部材と前記移動部材を連結するとともに、前記移動部材と前記接圧材を連結するリンク部材と、前記接圧材を出方向に付勢する第１の付勢手段と、前記移動部材に装着され、作動面に押圧可能な作動手段とを備え、前記リンク部材は、前記間仕切りパネルが前記作動面に対し接近する方向に移動して前記作動手段が前記作動面に押圧されたとき、前記移動部材の移動に伴って前記接圧材を出方向に動作させ、前記第１の付勢手段の付勢力が前記接圧材を前記接圧面に接圧する方向のみに作用する接圧状態とし、前記間仕切りパネルが前記作動面に対し離間する方向に移動して前記作動手段と前記作動面との押圧状態が解除されたとき、前記接圧状態を解除させるように前記接圧材を没方向に動作させて前記接圧面から離間させることを要旨とする。
【０００６】
これによれば、作動手段を作動面に衝突させ、移動部材を該作動面から離間する方向に移動させることにより、接圧材を接圧面に対して接近移動させることができる。すなわち、作動手段を作動面に衝突させるのみで、接圧材を接圧面に接圧し、間仕切りパネルを接圧面に対して移動不能に固定することができる。したがって、間仕切りパネルを容易に接圧面に固定することができる。
【０００８】
とくに、請求項１に記載の発明は、前記支持部材、前記移動部材、前記接圧材、前記リンク部材、及び前記第１の付勢手段は、前記支持部材と、前記移動部材と、前記リンク部材とを連結する第１の連結部と、前記リンク部材、前記接圧材及び前記第１の付勢手段の一方の端部を連結する第２の連結部と、前記移動部材と、前記リンク部材と、前記第１の付勢手段の他方の端部とを連結する第３の連結部とからなる３つの連結部を介して連結されていることを要旨とする。
【０００９】
これによれば、第１の連結部と、第２の連結部と、第３の連結部の３つの連結部により、支持部材、移動部材、接圧材、リンク部材及び第１の付勢手段を連結するようにした。このため、連結部の数を減少させることができ、構造を簡素化させることができる。したがって、間仕切りパネルの接圧装置の構造自体を容易にすることができる。
【００１０】
とくに、請求項２に記載の発明は、前記支持部材、前記移動部材、前記接圧材、前記リンク部材、及び前記第１の付勢手段は、前記支持部材と、前記移動部材と、前記リンク部材とを連結する第１の連結部と、前記リンク部材、前記接圧材及び前記第１の付勢手段の一方の端部を連結する第２の連結部と、前記移動部材、前記接圧材及び前記リンク部材を連結する第３の連結部と、前記リンク部材と前記第１の付勢手段の他方の端部を連結する第４の連結部とからなる４つの連結部を介して連結されていることを要旨とする。
【００１１】
これによれば、第１の連結部と、第２の連結部と、第３の連結部、第４の連結部の４つの連結部により、支持部材、移動部材、接圧材、リンク部材及び第１の付勢手段を連結するようにした。このため、連結部を多くすることにより、各連結部の役割を細分化し、各連結部に係る付加を分散させることができる。
請求項３に記載の発明は、請求項１又は請求項２に記載の間仕切りパネルにおいて、前記接圧材を前記パネル本体側へ引き込む方向に付勢する第２の付勢手段とを備えたことを要旨とする。
これによれば、間仕切りパネルの接圧面に対する固定を解除する場合、第２の付勢手段の付勢力を利用して、接圧材をパネル本体側へ引き込む方向に付勢することができる。したがって、間仕切りパネルの接圧面に対する固定を解除する場合においても、間仕切りパネルの固定を容易に解除することができる。
【００１２】
請求項４に記載の発明は、請求項１に記載の間仕切りパネルにおいて、前記リンク部材には、前記第２の連結部の構成要素である第１の連結部材の移動を案内する第１のリンク案内溝が形成されており、前記第１のリンク案内溝は、前記接圧材が前記移動部材から離間する方向に移動した時に前記第１の連結部材の移動を規制する終端部位が少なくとも円弧状に形成されていることを要旨とする。
【００１３】
これによれば、作動手段に衝突により加えられ力を円弧状に沿って移動部材に対する接圧材の方向へと好適に変換させることができる。また、第１の連結部は、第１のリンク案内溝の円弧に沿って移動する。このため、第１のリンク案内溝を直線状に形成する場合に比較して、接圧装置の全体の動きを滑らかにするとともに、作動手段に作用させる力を小さくすることができる。
【００１４】
請求項５に記載の発明は、請求項１〜請求項４のうちいずれか一項に記載の間仕切りパネルにおいて、前記移動部材には、前記第３の連結部の構成要素である第２の連結部材の移動を案内する第２のリンク案内溝が形成されており、前記第２のリンク案内溝は、前記接圧材が前記移動部材から離間する方向に移動した時に前記第２の連結部材の移動を規制する終端部位が少なくとも円弧状に形成されていることを要旨とする。
【００１５】
これによれば、第２の連結部材は、第２のリンク案内溝の円弧に沿って移動する。また、第２のリンク案内溝の少なくとも終端部位に円弧を形成するようにした。このため、接圧材が接圧面に対して接圧される場合、その接圧にかかる抵抗力を減少させつつ作動手段に力を作用させることができる。したがって、より容易に間仕切りパネルを接圧面に対して固定することができる。
【発明の効果】
【００１６】
本発明によれば、間仕切りパネルを容易に接圧面に固定することができる。
【発明を実施するための最良の形態】
【００１７】
（第１の実施形態）
以下、本発明を具体化した第１の実施形態を図１〜図１４に基づき説明する。
図１及び図２に示すように、天井面Ｔに沿って配設されるハンガーレール１０には、多数枚の間仕切りパネル１１が夫々ランナ１２を介して移動可能に支持されている。また、夫々の間仕切りパネル１１は、天井面Ｔ及び床面Ｙとの間に夫々隙間Ｈが設けられており、その隙間Ｈにより当該パネル１１が移動可能になっている。そして、ハンガーレール１０の一端側に位置する壁面Ｋには、召し合わせ框１３が取着され、間仕切りパネルとしての先頭用のパネル（以下、「先頭パネル」と示す）１４（壁面の最も近くに位置する間仕切りパネル）を召し合わせ可能となっている。また、先頭パネル１４を召し合わせ框１３に召し合わせた状態で、後続の間仕切りパネル１１を先行する当該パネル１１（先頭パネル１４）に順次召し合わせ可能となっている。
【００１８】
各間仕切りパネル１１（先頭パネル１４）のパネル本体１１ｃ（パネル本体１４ｃ）の上縁部１１ａ（１４ａ）には、接圧部材１５が上下動可能に支持され、各間仕切りパネル１１（先頭パネル１４）の下縁部１１ｂ（１４ｂ）には、接圧部材１５が上下動可能に支持されている。そして、接圧部材１５が天井面Ｔ及び床面Ｙと面接触することで、前記隙間Ｈを接圧部材１５により塞ぎ、間仕切りパネル１１（先頭パネル１４）は、移動可能状態から移動を規制されるように天井面Ｔと床面Ｙの間に固定されるようになっている。また、各間仕切りパネル１１には、先行する当該パネル１１（先頭パネル１４）との作動面としての召し合わせ面１７ａに作動手段としてのロッド１８が上方及び下方の２箇所に左右動可能に支持されている。接圧部材１５は、図３に示すように、間仕切りパネル１１内に配設される接圧装置としてのロック装置１９により昇降駆動（出没可能に駆動）され、ロッド１８は、該ロック装置１９によりスライド駆動されるようになっている。また、先頭パネル１４において、接圧部材１５は、当該先頭パネル１４内に配設される先頭用ロック装置２０により昇降駆動（出没可能に駆動）され、ロッド１８は、該ロック装置１９によりスライド駆動されるようになっている。
【００１９】
そして、本実施形態では、ロッド１８の左右動に連動して接圧部材１５が上下動するようになっている。すなわち、先行する間仕切りパネル１１（先頭パネル１４）に対して間仕切りパネル１１の召し合わせ面１７ａから衝突させ、その衝突力を利用してロッド１８を動作させるようにしている。そして、間仕切りパネル１１（先頭パネル１４）は、パネル同士を衝突させ召し合わされることにより、天井面Ｔ及び床面Ｙの間に接圧部材１５を介して固定されるようになっている。なお、先頭パネル１４には、それ以外の間仕切りパネル１１とは逆に向ってロッド１８が配設されている。すなわち、先頭パネル１４は、召し合わせ面１７ａに後続の間仕切りパネル１１を召し合わせることにより、天井面Ｔ及び床面Ｙの間に固定されるようになっている。
【００２０】
次に、図３〜図６に基づき、間仕切りパネル１１内に実装されるロック装置１９及び、先頭パネル１４内に実装される先頭用ロック装置２０について説明する。なお、間仕切りパネル１１及び先頭パネル１４には、上縁部１１ａ，１４ａ側（天井面Ｔ側）と、下縁部１１ｂ，１４ｂ側（床面Ｙ側）とにロック装置１９及び先頭用ロック装置２０がそれぞれ実装される。ロック装置１９（及び先頭用ロック装置２０）は、間仕切りパネル１１（及び先頭パネル１４）に上下一対で設けられることにより、接天接床装置を構成する。以下の説明では、上縁部１１ａ，１４ａ側（天井面Ｔ側）に実装されるロック装置１９及び先頭用ロック装置２０について中心に説明し、下縁部１１ｂ，１４ｂ側（床面Ｙ側）に実装されるロック装置１９及び先頭用ロック装置２０については、同一構成であるため、その重複する説明を省略する。また、ロック装置１９及びロック装置２０において、その構成で重複する説明を省略する。
【００２１】
図４（ａ）に示すように、ロック装置１９は、支持部材としての支持板２１を備え、当該支持板２１は、平面視長方形の平板状をなす底面２１ｄの長辺方向周縁に一対の側壁２１ａ及び側壁２１ｂが垂直に立設され、側面視凹状（チャネル状）に形成されている。各側壁２１ａ，２１ｂには、各側壁２１ａ，２１ｂを貫通する貫通孔２１ｃが各２箇所ずつ形成されており、当該貫通孔２１ｃにはピンなどが挿通可能となっている。
【００２２】
図４（ｂ）に示すように、ロック装置１９は、移動部材としての前記支持板２１の長辺方向に移動可能に配設される支持板２２を備え、当該支持板２２は、平面視長方形の平板状をなす底面２２ｇの長辺方向周縁に一対の側壁２２ａ及び側壁２２ｂが垂直に立設され、側面視凹状（チャネル状）に形成されている。各側壁２２ａ，２２ｂには、中央部から右方と左方の各１箇所ずつに各側壁２２ａ，２２ｂの上端からさらに上方に延設される延設部２２ｃが２箇所に形成されている。各側壁２２ａ，２２ｂの左方には、ロッド１８を取り付ける取付部２２ｄが形成されているとともに、該取付部２２ｄにロッド１８を所定の固定手段で固定する固定部２２ｅが形成されている。
【００２３】
各延設部２２ｃの間には、２箇所の貫通孔２２ｆが形成されている。また、側壁２２ａ，２２ｂの各延設部２２ｃの下方位置には、支持板２２の移動を案内する第１溝２３が支持板２２の長辺方向に直線状に形成され、該各延設部２２ｃには、後述するリンク部材２７の移動を案内する第２溝２４が形成されている。
【００２４】
第１溝２３は、支持板２１に対する支持板２２の移動量を規制し得る長さに形成されているとともに、第２溝２４は、後述する連結ピンＰ２の移動量を規制し得る長さに形成されている。また、第２溝２４は、延設部２２ｃの下方（基端側）から上方（先端側）へ向うように円弧状に形成されているとともに、ロッド１８側に湾曲するように形成されている。なお、側壁２２ｂには、側壁２２ａと対向するように、延設部２２ｃと、取付部２２ｄと、固定部２２ｅと、貫通孔２２ｆが形成されているとともに、第１溝２３及び第２溝２４が形成されている。
【００２５】
図４（ｃ）に示すように、ロック装置１９は、支持板２１，２２に対して昇降可能に配設される昇降板２５を備え、当該昇降板２５は、平面視長方形の平板状をなす上面２５ｄの長辺方向周縁に一対の側壁２５ａ及び側壁２５ｂが垂直に立設され、側面視凹状（チャネル状）に形成されている。
【００２６】
側壁２５ａには、ピンなどを挿通可能な複数個の貫通孔２５ｃが各側壁２５ａ及び２５ｂを貫通して形成されているとともに、後述するリンク部材２７の移動を案内する第３溝２６が形成されている。第３溝２６は、後述する連結ピンＰ３の移動方向及び移動量を規制するように形成されている。一方、側壁２５ｂには、側壁２５ａと対向するように、複数個の貫通孔２５ｃと、第３溝２６とが形成されている。
【００２７】
また、図４（ｄ）に示すように、ロック装置１９は、支持板２１と支持板２２とを連結するとともに、支持板２２と昇降板２５とを連結するリンク部材２７を備えている。リンク部材２７は、正面視長方形の平板状であって、左右両端が半円状に形成され、両端で半円の径を異ならせている。そして、半円の径の小さい小径部２７ａ側であって、下方片２７ｃには、切り欠き部２７ｅが形成されているとともに、ピンなどを挿通可能な２箇所の貫通孔２７ｆと貫通孔２７ｇがリンク部材２７を貫通して形成されている。
【００２８】
一方、半円の径が小径部２７ａに比較して大きい大径部２７ｂ側には、第４溝２８が形成されている。第４溝２８は、後述する連結ピンＰ３の移動方向及び移動量を規制するように形成されている。また、第４溝２８は、リンク部材２７の中央下方部から大径部２７ｂに向うように形成されている。第４溝２８は、リンク部材２７の中央下方部において直線状に形成されており、大径部２７ｂに向かうに連れて先端が上方を向くように円弧状（円弧部２８ａ）に形成されている。
【００２９】
また、リンク部材２７は、長辺方向周縁に一対の側壁２７ｈ及び側壁２７ｉが垂直に立設され、側面視凹状（チャネル状）に形成されている。なお、側壁２７ｈ，２７ｉには、対向するように、貫通孔２７ｆと、貫通孔２７ｇと、第４溝２８とが形成されている。また、本実施形態のロック装置１９では、支持板２１、支持板２２及び昇降板２５の側壁２１ａ，２２ａ，２５ａ側を連結するとともに、側壁２１ｂ，２２ｂ、２５ｂ側を連結するため、該ロック装置１９の全体で２つのリンク部材２７を備えることとなる。
【００３０】
図４（ｅ）に示すように、ロック装置１９は、第１の付勢手段としての圧縮ばね２９と、第２の付勢手段としての引っ張りばね３０の付勢方向の異なる２種類のばねを備えている。圧縮ばね２９は、三角形状であり、その一端２９ａと他端２９ｂが拡がる方向に付勢力を発生するものである。また、引っ張りばね３０は、その両端が近づく収縮する方向に付勢力を発生するものである。なお、本実施形態のロック装置１９では、２つの圧縮ばね２９と１つの引っ張りばね３０が配設されるようになっている。なお、本実施形態において、圧縮ばね２９の付勢力は、引っ張りばね３０の付勢力よりも大きく設定されている。
【００３１】
次に、図３に示すように、組み付けた状態のロック装置１９について説明する。
ロック装置１９の支持板２１は、図１に示す間仕切りパネル１１内の所定位置（外部から視認不能な位置）に該間仕切りパネル１１に対して動かないように固定されている。すなわち、間仕切りパネル１１が動けばそれに伴い支持板２１も動いていることとなる。また、図３（ｂ）に示すように、支持板２１の各側壁２１ａ，２１ｂの間には、支持板２２が移動可能に配設される。支持板２２は、当該支持板２２の各側壁２２ａ，２２ｂの４箇所の第１溝２３と、４箇所の貫通孔２１ｃの位置が合うように支持板２１に対して配置される。そして、各側壁２２ａ，２２ｂの各対向する第１溝２３と、各貫通孔２１ｃと、各リンク部材２７の貫通孔２７ｆとは、夫々連結ピンＰ１により連結されるようになっている。この結果、支持板２１と支持板２２が連結されるとともに、リンク部材２７も支持板２１，２２に連結されるようになっている。
【００３２】
支持板２２とリンク部材２７では、支持板２２の各側壁２２ａ，２２ｂの各対向する第２溝２４と、各第２溝２４に配設される各リンク部材２７の貫通孔２７ｇとが夫々連結ピンＰ２により連結されるようになっている。昇降板２５と、リンク部材２７では、昇降板２５の各側壁２５ａ，２５ｂの各対向する第３溝２６と、各第３溝２６に配設される各リンク部材２７の第４溝２８とが夫々連結ピンＰ３により連結されるようになっている。このとき、側壁２２ａ，２２ｂの間であって、連結ピンＰ２には、圧縮ばね２９の一端２９ａも同時に連結されるとともに、連結ピンＰ３には、圧縮ばね２９の他端２９ｂも連結されている。さらに、支持板２２の貫通孔２２ｆと引っ張りばね３０の一端と、昇降板２５の貫通孔２５ｃと引っ張りばね３０の他端とが夫々連結ピンＰ４及び連結ピンＰ５により連結されている。
【００３３】
この結果、支持板２２と昇降板２５とは、リンク部材２７と圧縮ばね２９を介して連結されるとともに、引っ張りばね３０を介して連結されるようになっている。また、リンク部材２７には、圧縮ばね２９の両端（リンク部材２７の貫通孔２７ｇに一端２９ａが、リンク部材２７の第４溝２８に他端２９ｂが）が連結されている。また、支持板２２の取付部２２ｄには、ロッド１８が固定部２２ｅに所定の固定手段により、支持板２２の長辺方向に延びるように取り付けられる。また、昇降板２５の長辺方向両側には、ねじＮにより一対の接圧部材１５が装着される（図３（ｂ）参照）ようになっている。なお、接圧部材１５は、昇降板２５の上方部の全体に配設されるようにしても良い。また、本実施形態では、昇降板２５と接圧部材１５により、接圧材が構成されている。
【００３４】
このように組み付けられるロック装置１９では、連結ピンＰ１が支持板２２に形成された第１溝２３の最右方に位置する場合を初期位置としている。この初期位置において、支持板２２は、支持板２１の左方側に位置するとともに、連結ピンＰ２は、支持板２２に形成された第２溝２４の最右方に位置している。このため、連結ピンＰ１と連結ピンＰ２の位置関係は、水平に対して鋭角であり、リンク部材２７が傾いている状態となっている。また、初期位置において、連結ピンＰ３は、昇降板２５に形成された第３溝２６の最左方に位置するとともに、リンク部材２７に形成された第４溝２８の最左方に位置している。初期位置において昇降板２５は、支持板２１及び支持板２２に最も近づいている。
【００３５】
初期位置の状態では、圧縮ばね２９が連結ピンＰ２及び連結ピンＰ３を離間する方向に付勢している。この結果、連結ピンＰ２，Ｐ３は、圧縮ばね２９により両端方向に広げられ、該連結ピンＰ２と連結ピンＰ３との距離が最も離間されるようになっている。また、初期位置の状態では、引っ張りばね３０が昇降板２５を支持板２２に近づけるように付勢している。この結果、連結ピンＰ４，Ｐ５は、その両者間の距離が最も近づくようになっている。すなわち、支持板２２と昇降板２５が最も近づくようになっている。昇降板２５は、外部から力を加えない状態において支持板２２に最も近づくように維持されている。本実施形態において、各連結ピンＰ１〜Ｐ３の示す初期位置を夫々初期位置Ｓとする。
【００３６】
本実施形態のロック装置１９では、各連結ピンＰ１〜Ｐ３により連結される支持板２２、昇降板２５、リンク部材２７、圧縮ばね２９によりリンク機構が構成され、当該リンク機構は、ロッド１８に加えられる衝突力により作動されるようになっている。また、１つのロック装置１９には、前記リンク機構が２箇所に形成されるようになっている。
【００３７】
次に、図５及び図６に基づき、先頭パネル１４に実装されるロック装置２０の構成について説明する。
図６（ｂ）に示すように、ロック装置２０は、支持部材としての支持板３３を備え、当該支持板３３は、前記支持板２２と略同形状となっている。また、図６（ａ）に示すように、ロック装置２０は、前記支持板３３に対して移動可能に配設される移動部材としての支持板３２を備え、当該支持板３２は、前記支持板２１と略同形状となっている。
【００３８】
支持板３２の各側壁３２ａ，３２ｂには、当該側壁３２ａ，３２ｂの両端側の２箇所と中央部側の２箇所に貫通孔３２ｃが４箇所ずつ形成されている。また、側壁３２ａの右方には、ロッド１８を取り付ける取付部３２ｄが形成されているとともに、該取付部３２ｄにロッド１８を所定の固定手段で固定する固定部３２ｅが形成されている。すなわち、ロック装置１９とロック装置２０では、ロッド１８の接続される方向が各部材（支持板３２，３３、昇降板３６、リンク部材３８及びばね４０，４１）に対して逆になっている。
【００３９】
本実施形態のロック装置２０及びロック装置１９において、支持板３２の側壁３２ａ，３２ｂは、支持板２１の側壁２１ａ，２１ｂに対応し、支持板３２の底面３２ｆは、支持板２１の底面２１ｄに対応している。また、支持板３３の側壁３３ａ，３３ｂ、延設部３３ｃ、底面３３ｄ、第１溝３４及び第２溝３５は、支持板２２の側壁２２ａ，２２ｂ、延設部２２ｃ、底面２２ｇ、第１溝２３及び第２溝２４に対応している。なお、第２溝３５は、延設部２２ｃの下方（基端側）から上方（先端側）へ向うように円弧状に形成されているが、支持板２２の第２溝２４とは異なりロッド１８から離間する方向に湾曲するように形成されている。また、昇降板３６の側壁３６ａ，３６ｂ、貫通孔３６ｃ、上面３６ｄ及び第３溝３７は、昇降板２５の側壁２５ａ，２５ｂ、貫通孔２５ｃ、上面２５ｄ及び第３溝２６に対応している。さらに、リンク部材３８の小径部３８ａ、大径部３８ｂ、下方片３８ｃ、上方片３８ｄ、切り欠き部３８ｅ、及び貫通孔３８ｆ，３８ｇは、リンク部材２７の小径部２７ａ、大径部２７ｂ、下方片２７ｃ、上方片２７ｄ、切り欠き部２７ｅ、及び貫通孔２７ｆ，２７ｇに対応している。そして、圧縮ばね４０及び引っ張りばね４１は、圧縮ばね２９及び引っ張りばね３０に対応している。
【００４０】
次に、図５に示すように、組み付けた状態のロック装置２０について説明する。
ロック装置２０の支持板３３は、図５（ａ）に示す先頭パネル１４内の所定位置（外部から視認不能な位置）に該先頭パネル１４に対して動かないように固定されている。また、図５（ｂ）に示すように、支持板３３の各側壁３３ａ，３３ｂの間には、支持板３２が移動可能に配設される。支持板３２は、支持板３３の各側壁３３ａ，３２ｂに形成された４箇所の第１溝３４と、４箇所の貫通孔３２ｃの位置が合うように支持板３３に対して配置される。そして、ロック装置２０では、先頭パネル１４に固定される支持板３３と、昇降板３６及びリンク部材３８によりリンク機構が構成されている。すなわち、ロック装置１９では、スライドする間仕切りパネル１１に対して移動可能にリンク機構が構成されるが、ロック装置２０では、スライドする先頭パネル１４に対してリンク機構が構成されるようになっている。このため、支持板３３（先頭パネル１４）に対して移動可能な支持板３２には、ロッド１８が配設されるとともに、引っ張りばね４１により昇降板３６が連結されている。
【００４１】
本実施形態のロック装置２０では、各連結ピンＰ１〜Ｐ３により連結される支持板３３、昇降板３６、リンク部材３８、圧縮ばね４０によりリンク機構が構成され、当該リンク機構は、ロッド１８に加えられる衝突力により作動されるようになっている。また、１つのロック装置２０には、前記リンク機構が合計２箇所に形成されるようになっている。
【００４２】
次に、ロック装置１９及びロック装置２０の動作態様について説明する。
まず、間仕切りパネル１１に実装されるロック装置１９の動作態様について説明する。以下の説明では、ロック装置１９及びロック装置２０において、支持板２１及び支持板３３は、動かないように固定されているとともに、昇降板２５及び昇降板３６の移動方向である上方又は下方には、天井面Ｔ又は床面Ｙが存在しているものとする。
【００４３】
図７に示すように、間仕切りパネル１１が移動可能な状態のとき、ロック装置１９では、各連結ピンＰ１〜Ｐ３が初期位置Ｓとなっている。そして、ロッド１８に対して当該ロッド１８のロック装置１９が接続されている側とは逆方向から力（間仕切りパネル１１同士が衝突する衝突力など）を加えることにより、支持板２２が支持板２１に対して移動する。すなわち、連結ピンＰ１と連結ピンＰ２が初期位置Ｓに比較して水平距離で近づいている状態となる。この状態を第１状態（図７の状態）とする。
【００４４】
第１状態のロック装置１９において、連結ピンＰ２は、第２溝２４に沿って上方に移動している状態である。また、連結ピンＰ２の移動に関連して、リンク部材２７が初期位置Ｓの傾いている状態から連結ピンＰ２を回動中心として回動する（連結ピンＰ１と連結ピンＰ２の位置関係は、初期位置Ｓに対して大きい鋭角となる）ようになっている。
【００４５】
続いて、連結ピンＰ２の移動に関連して、連結ピンＰ２と連結ピンＰ３は、当該連結ピンＰ２と連結ピンＰ３が離間される方向に付勢されているため、一定の距離を保とうとし、連結ピンＰ３も上方に移動する。その結果、昇降板２５が支持板２１に対して上昇（離間）する方向（間仕切りパネル１１に対し出方向）に移動することになる。
【００４６】
さらに、ロッド１８に力が加えられ、支持板２１に対して支持板２２の移動量を増やすと、図８に示すように、連結ピンＰ１と連結ピンＰ２の水平距離が第１状態に比較してさらに近づいている状態となる。この状態を第２状態（図８の状態）とする。
【００４７】
第２状態において、連結ピンＰ２は、第２溝２４に沿って、第１状態からさらに上方に移動している状態である。また、連結ピンＰ２は、さらに上方に移動するため、リンク部材２７が第１状態から連結ピンＰ２を回動中心としてさらに回動する（連結ピンＰ１と連結ピンＰ２の位置関係は、第１状態に対して大きい鋭角となる）ようになっている。
【００４８】
続いて、連結ピンＰ２の移動に関連して、連結ピンＰ２と連結ピンＰ３は、一定の距離を保とうとし、連結ピンＰ３は、第１状態からさらに上方に移動する。したがって、昇降板２５が支持板２１に対して第１状態からさらに上方に移動（離間）することになる。
【００４９】
本実施形態のロック装置１９では、昇降板２５が支持板２１に対して上昇することで、天井面Ｔと昇降板２５の接圧部材１５が面接触するようになる。すなわち、ロック装置１９が接圧部材１５を介して、天井面Ｔに仮固定されている状態となる。
【００５０】
さらに、ロッド１８に力が加えられ、支持板２１に対して支持板２２の移動量が増えると、図９に示すように、連結ピンＰ１と連結ピンＰ２の水平距離がさらに近づいている（鉛直直線状に並ぶ）状態となる。この状態を第３状態（図９の状態）とする。
【００５１】
第３状態のロック装置１９では、連結ピンＰ２が、第２溝２４に沿って、第１状態からさらに上方に移動している状態である。また、連結ピンＰ２は、さらに上方に移動するため、リンク部材２７が傾いている状態から連結ピンＰ２を回動中心としてさらに回動する（連結ピンＰ１と連結ピンＰ２の位置関係は、直角に近い角）ようになっている。
【００５２】
続いて、連結ピンＰ２の移動に関連して、連結ピンＰ２と連結ピンＰ３は、一定の距離を保とうとするが、連結ピンＰ３は、接圧部材１５が天井面Ｔと面接触されることにより、上方への移動が規制される。そして、連結ピンＰ３は、第４溝２８に沿って水平方向に移動する。すなわち、圧縮ばね２９の両端２９ａ，２９ｂの距離が縮まることとなり、圧縮ばね２９の付勢力が高まる。また、圧縮ばね２９の一端２９ａは、リンク部材２７の貫通孔２７ｇにより固定されているため、前記一端２９ａから他端２９ｂ方向に向う付勢力が作用する。この結果、接圧部材１５は、圧縮ばね２９の付勢力と同等の大きさの力により、天井面Ｔに付勢され、天井面Ｔにロック装置１９が固定されている状態となる。
【００５３】
さらに、ロッド１８に力が加えられ、支持板２１に対する支持板２２の移動量が増えると、図１０に示すように、連結ピンＰ１と連結ピンＰ２の位置が逆転している状態となる。この状態を第４状態（図１０の状態）とする。
【００５４】
第４状態のロック装置１９では、連結ピンＰ１が第１溝２３の最左方に位置している状態であり、これ以上支持板２１に対して支持板２２が移動することができない状態となっている。また、連結ピンＰ１の移動に関連して、リンク部材２７が第１〜第３状態で傾いている方向と、逆方向に傾くように貫通孔２７ｇを中心に回動する（連結ピンＰ１と連結ピンＰ２の位置関係は、直角に近い角）ようになっている。
【００５５】
連結ピンＰ１の移動に関連して、連結ピンＰ２と連結ピンＰ３は、鉛直直線状に並び、圧縮ばね２９の両端２９ａ，２９ｂが最も近づいている状態となっている。すなわち、圧縮ばね２９の付勢力が最も大きくなっており、接圧部材１５が天井面Ｔに最も強く接圧されている状態であり、ロック装置１９により間仕切りパネル１１が完全にロックされた状態となる。
【００５６】
なお、ここまでは、間仕切りパネル１１の上縁部１１ａに実装されるロック装置１９の動作について説明したが、下縁部１１ｂに実装されるロック装置１９についても同様に動作することで、床面Ｙにロック装置１９が固定されるようになっている。図７〜図１０には、天井面Ｔ側のロック装置１９と床面Ｙ側のロック装置１９の両ロック装置１９の動作を模式的に示している。また、ロック装置１９において、昇降板２５を床面Ｙに対して実装する場合であっても、初期位置Ｓの状態では、圧縮ばね２９の付勢力と、引っ張りばね３０の付勢力により該昇降板２５が支持板２１，２２に付勢される（引き付けられる）ため、初期位置Ｓの状態を保持することができるようになっている。
【００５７】
次に、先頭パネル１４に実装されるロック装置２０の動作態様について説明する。
図１１に示すように、ロック装置２０では、各連結ピンＰ１〜Ｐ３が初期位置Ｓとなるようになっている。そして、ロッド１８に対して当該ロッド１８のロック装置２０が接続されている側とは逆方向から力（間仕切りパネル１１に衝突される衝突力など）を加えることにより、支持板３２が支持板３３に対して移動し、第１状態（図１１の状態）となる。
【００５８】
さらに、ロッド１８に力が加えられ、支持板３３に対して支持板３２の移動量が増えると、図１２に示すように、連結ピンＰ１と連結ピンＰ２の水平距離が第１状態に比較してさらに近づいている第２状態（図１２の状態）となる。
【００５９】
さらに、ロッド１８に力が加えられ、支持板３３に対して支持板３２の移動量が増えると、図１３に示すように、連結ピンＰ１と連結ピンＰ２の水平距離がさらに近づいている（鉛直直線状に並ぶ）第３状態（図１３の状態）となる。
【００６０】
さらに、ロッド１８に力が加えられ、支持板３３に対する支持板３２の移動量が増えると、図１４に示すように、連結ピンＰ１と連結ピンＰ２の位置が逆転している第４状態（図１４の状態）となる。
【００６１】
なお、ここまでは、先頭パネル１４の上縁部１４ａに実装されるロック装置２０の動作について説明したが、下縁部１４ｂに実装されるロック装置２０についても同様に動作することで、床面Ｙにロック装置２０が固定されるようになっている。図１１〜図１４には、天井面Ｔ側のロック装置２０と床面Ｙ側のロック装置２０の両ロック装置２０の動作を模式的に示している。また、ロック装置２０において、昇降板３６を床面Ｙに対して実装する場合であっても、初期位置Ｓの状態では、圧縮ばね４０の付勢力と、引っ張りばね４１の付勢力により該昇降板３６が支持板３３に付勢される（引き付けられる）ため、初期位置Ｓの状態を保持することができるようになっている。
【００６２】
本実施形態のロック装置１９，２０では、第２溝２４，３５が上方に向うように形成することで、ロッド１８に加えられる水平方向の力が、連結ピンＰ２を上方に移動させる方向の力に変換されるようになっている。また、第２溝２４，３５を円弧状に形成することで、第２溝２４，３５を直線状に形成する場合に比較して、水平方向の力は、鉛直方向の力へと効果的に変換されている。また、リンク部材２７，３８に形成される第４溝２８，３９に円弧部２８ａ，３９ａを形成することで、前記水平方向の力は、該リンク部材２７，３８を回動させるように作用し、水平方向から鉛直方向に効果的に変換されるようになっているとともに、リンク部材２７，３８を回動させるための抵抗力を逃がすようになっている。
【００６３】
また、第４状態におけるロック装置１９及びロック装置２０において圧縮ばね２９，４０の付勢力は、初期位置Ｓの状態で水平方向へ作用しており、第４状態で鉛直方向へ作用するようになっている。その結果、第４状態から勝手に（外部から力を加えることなく）ロッド１８が初期位置Ｓに戻ろうとすることを防止している。
【００６４】
また、本実施形態のロック装置１９，２０は、リンク機構と、間仕切りパネル１１及び先頭パネル１４（支持板２１及び支持板３３）とを３種類の連結ピンＰ１〜Ｐ３で連結して構成している。すなわち、３箇所の連結部にてリンク機構が構成されている。
【００６５】
本実施形態において、連結ピンＰ１による連結部が第１の連結部となり、連結ピンＰ２による連結部が第２の連結部となり、連結ピンＰ３による連結部が第３の連結部となる。また、第２の連結部を構成する連結ピンＰ２が第１の連結部材となり、第３の連結部を構成する連結ピンＰ３が第２の連結部材となる。
【００６６】
次に、間仕切りパネル１１及び先頭パネル１４にロック装置１９及びロック装置２０を実装し、部屋空間を区画する態様について説明する。
本実施形態の間仕切りパネル１１では、当該間仕切りパネル１１からロック装置１９の初期位置Ｓの状態でロッド１８が突出可能な位置に実装されるようになっている。また、間仕切りパネル１１の上縁部１１ａには、接圧部材１５が天井面Ｔ方向を向くように実装され、下縁部１１ｂには、接圧部材１５が床面Ｙ方向を向くように実装される。また、前記初期位置Ｓの状態では、間仕切りパネル１１及び先頭パネル１４の上縁部１１ａ，１４ａ、下縁部１１ｂ，１４ｂから接圧部材１５が見えないようになっている（パネル内部に被覆されるようになっている）。
【００６７】
まず壁面Ｋに配設されている召し合わせ框１３に先頭パネル１４が召し合わされる。この状態では、先頭パネル１４は、天井面Ｔ及び床面Ｙに固定されておらず、移動可能である。続いて、先頭パネル１４の召し合わせ面１７ａに対して間仕切りパネル１１をスライドさせることで先頭パネル１４及び間仕切りパネル１１で壁を配設するようになっている。
【００６８】
そして、先頭パネル１４に間仕切りパネル１１がスライドしながら近づくと、先頭パネル１４の上下に実装されるロッド１８が間仕切りパネル１１の召し合わせ面１７ａに当接するとともに、間仕切りパネル１１の上下に実装されるロッド１８が先頭パネル１４の召し合わせ面１７ａに当接する。
【００６９】
間仕切りパネル１１が先頭パネル１４の召し合わせ面１７ａに当接し、さらにスライドしている勢いにより、間仕切りパネル１１から突出しているロッド１８が間仕切りパネル１１内に押し込まれる。このとき、ロック装置１９では、ロッド１８が押し込まれることに関連して、支持板２１に対して支持板２２が移動している第１状態（図７の状態）となっている。そして、間仕切りパネル１１の上縁部１１ａ及び下縁部１１ｂから接圧部材１５の先端が突出している状態（接圧部材１５が間仕切りパネル１１に対して出方向に移動している状態）となる。
【００７０】
一方、先頭パネル１４では、間仕切りパネル１１がスライドしている勢いにより、ロッド１８が先頭パネル１４内に押し込まれる。このとき、ロック装置２０では、ロッド１８が押し込まれることに関連して、支持板３３に対して支持板３２が移動している第１状態（図１１の状態）となっている。そして、先頭パネル１４の上縁部１４ａ及び下縁部１１ｂから接圧部材１５の先端が突出している状態となる。
【００７１】
その後、間仕切りパネル１１から突出しているロッド１８が間仕切りパネル１１内にさらに押し込まれる。このとき、ロック装置１９では、ロッド１８が押し込まれることに関連して、支持板２１に対する支持板２２の移動量が増えている第２状態（図８の状態）となっている。そして、間仕切りパネル１１の上縁部１１ａ及び下縁部１１ｂから接圧部材１５の全体が突出し、間仕切りパネル１１の上方では、天井面Ｔと接圧部材１５が面接触する。また、間仕切りパネル１１の下方では、床面Ｙと接圧部材１５が面接触する。このため、間仕切りパネル１１は、天井面Ｔ及び床面Ｙに仮固定され、間仕切りパネル１１のスライド方向以外には、移動しにくい状態となっている。
【００７２】
一方、先頭パネル１４では、間仕切りパネル１１のスライドの勢いにより、ロッド１８が先頭パネル１４内にさらに押し込まれる。このとき、ロック装置２０では、ロッド１８が押し込まれることに関連して、支持板３３に対する支持板３２の移動量が増えている第２状態（図１２の状態）となっている。そして、先頭パネル１４の上縁部１４ａ及び下縁部１４ｂから接圧部材１５の全体が突出し（先頭パネル１４に対し出方向に移動し）、先頭パネル１４の上方では、天井面Ｔと接圧部材１５が面接触する。また、先頭パネル１４の下方では、床面Ｙの接圧部材１５が面接触する。このため、先頭パネル１４は、天井面Ｔ及び床面Ｙに固定され、移動が規制される状態となっている。この時点（第２状態）において、先頭パネル１４は、召し合わせ框１３と後続の間仕切りパネル１１により挟まれるとともに、上下方向を天井面Ｔ及び床面Ｙにより固定されている。この結果、先頭パネル１４は、左右方向の移動が規制され、部屋空間を区画する壁となっている。
【００７３】
その後、間仕切りパネル１１から突出しているロッド１８が間仕切りパネル１１内にさらに押し込まれる。このとき、ロック装置１９では、ロッド１８が押し込まれることに関連して、支持板２１に対する支持板２２の移動量がさらに増えている第３状態（図９の状態）となっている。そして、間仕切りパネル１１は、天井面Ｔ及び床面Ｙへの接圧力が増すことにより、天井面Ｔ及び床面Ｙに固定されるようになっている。
【００７４】
一方、先頭パネル１４では、間仕切りパネル１１のスライドの勢いにより、ロッド１８が先頭パネル１４内にさらに押し込まれる。このとき、ロック装置２０では、ロッド１８が押し込まれることに関連して、支持板３３に対する支持板３２の移動量がさらに増えている第３状態（図１３の状態）となっている。そして、先頭パネル１４は、天井面Ｔ及び床面Ｙへの接圧力が増すことにより、さらに強い力で天井面Ｔ及び床面Ｙに固定されるようになっている。
【００７５】
また、本実施形態では、接圧部材１５に図示しない昇降框が当該接圧部材１５に連動可能に併設されている。昇降框は、接圧部材１５の昇降に合わせて昇降されるようになっている。昇降框は、天井面Ｔ及び床面Ｙとの接触面において、わずかな隙間を被覆するために設けられている。また、昇降框は、接圧部材１５に連動して動作するため、接圧部材１５を被覆する効果も兼ね備えている。
【００７６】
その後、間仕切りパネル１１から突出しているロッド１８が間仕切りパネル１１内に完全に押し込まれる。このとき、ロック装置１９では、第４状態（図１０の状態）となっている。一方、先頭パネル１４から突出しているロッド１８が先頭パネル１４内に完全に押し込まれる場合、ロック装置２０では、第４状態（図１４の状態）となっている。そして、間仕切りパネル１１と先頭パネル１４の召し合わせ面１７ａ同士が面接触し、間仕切りパネル１１と先頭パネル１４とが一体となる壁が形成されるようになっている。
【００７７】
以後、先頭パネル１４とともに壁を形成する間仕切りパネル１１に、さらに間仕切りパネル１１をスライドさせ同じ要領で連設することにより、部屋空間を区画することができる。また、間仕切りパネル１１は、ロック装置１９により固定されるため、パネルにより形成される壁の一番後方（後続する間仕切りパネル１１がない）に位置した場合であっても、ロッド１８が初期位置Ｓに戻ろうとすることがないため、間仕切りパネル１１の固定が解除されないようになっている。
【００７８】
また、本実施形態では、ロッド１８を召し合わせ面１７ａに衝突させることで、ロック装置１９が作動するようにした。このため、召し合わせ面１７ａにロッド１８が衝突したとしても、当該召し合わせ面１７ａに対して大きな傷が残ったりしないようになっている。例えば、間仕切りパネル１１に備える昇降框自体を回動可能に配設し、当該昇降框を回動させることで、天井面Ｔ及び床面Ｙを接圧するようなロック装置では、召し合わせ面１７ａに昇降框が直接ぶつかることになり、召し合わせ面１７ａに大きな傷が付く可能性がある。また、昇降框を直接押し当てるためには、間仕切りパネル１１から昇降框を突出させるため、意匠的に見栄えが悪くなる可能性がある。
【００７９】
また、部屋空間の区画を解除する場合には、間仕切りパネル１１をスライドさせた方向とは逆方向に所定の大きさ以上の力で移動させる。このとき、ロック装置１９では、第４状態から接圧部材１５が天井面Ｔ及び床面Ｙに固定されている状態でリンク部材２７が回動し、当該リンク部材２７が第３状態となる。第３状態となってさらに力を加えることで、リンク部材２７が初期位置Ｓに戻ろうとする（圧縮ばね２９及び引っ張りばね３０が昇降板２５を支持板２１に付勢する）ことにより、昇降板２５が下降（下方では上昇）し（間仕切りパネル１１に対し没方向に移動し）、固定が解除され前記区画が解除されるようになっている。同様の要領で先頭パネル１４の固定も解除することができるようになっている。
【００８０】
したがって、本実施形態によれば、以下に示す効果を得ることができる。
（１）間仕切りパネル１１では、ロッド１８を先行する間仕切りパネル１１又は先頭パネル１４の召し合わせ面１７ａに当接させることで、昇降板２５の昇降ができるようにした。すなわち、間仕切りパネル１１をスライドさせるのみで、接圧部材１５を天井面Ｔ及び床面Ｙに接圧させることができる。したがって、間仕切りパネル１１を容易に天井面Ｔ及び床面Ｙに固定することができる。
【００８１】
（２）また、先頭パネル１４では、ロッド１８を後続の間仕切りパネル１１の召し合わせ面１７ａに当接させることで、昇降板３６の昇降ができるようにした。すなわち、後続の間仕切りパネル１１をスライドさせるのみで、接圧部材１５を天井面Ｔ及び床面Ｙに接圧させることができる。したがって、先頭パネル１４を容易に天井面Ｔ及び床面Ｙに固定することができる。
【００８２】
（３）リンク部材２７，３８は、連結ピンＰ１〜Ｐ３の３箇所で連結するようにした。そして、リンク機構は、連結ピンＰ１〜Ｐ３で構成されるようにした。このため、連結ピンによる連結部が増加することにより構造が複雑になることを抑制することができる。したがって、ロック装置１９，２０の構造を容易にすることができる。
【００８３】
（４）第２溝２４，３５は、上方に向かって円弧状に形成した。このため、ロッド１８に作用する水平方向の衝突力は、連結ピンＰ２を上方へ移動させる鉛直方向の力へと好適に変換させることができる。したがって、第２溝２４，３５を直線状に形成する場合に比較して、小さい力により連結ピンＰ２を移動させるとともに、リンク機構を動作させることができる。
【００８４】
（５）また、第２溝２４，３５を直線状に形成する場合に比して、支持板２２，３３の移動量を減少させることができる。すなわち、ロッド１８の移動量を減少させることができるため、ロッド１８のストロークを短くすることができる。
【００８５】
（６）また、第４溝２８，３９には、円弧部２８ａ，３９ａを形成した。このため、ロッド１８に作用する水平方向の衝突力は、リンク部材２７，３８を回動させる力に好適に変換させることができる。したがって、第４溝２８，３９を直線状に形成する場合に比較して、小さい力によりリンク部材２７，３８を回動させることができる。また、リンク部材２７，３８の回動は、連結ピンＰ３が円弧部２８ａ，３９ａに沿って回動されるため、該回動時に作用する抵抗力を軽減させることができる。
【００８６】
（７）また、第４溝２８，３９は、円弧部２８ａ，３９ａを形成することにより、全体を直線状に形成する場合に比して、溝の全長が同じでもより天井面Ｔ及び床面Ｙに近づく方向に昇降板２５，３６を移動させることができる。このため、リンク部材２７，３８の回動を速やかに行わせるとともに、昇降板２５，３６の昇降をも速やかに行わせることができる。したがって、接圧部材１５により速やかに天井面Ｔ及び床面Ｙに間仕切りパネル１１及び先頭パネル１４を固定することができる。
【００８７】
（８）ロック装置１９，２０の圧縮ばね２９，４０は、初期位置Ｓの状態では、昇降板２５，３６を支持板２１，３３に付勢する。一方、前記圧縮ばね２９，４０は、第３状態及び第４状態では、昇降板２５，３６を天井面Ｔ及び床面Ｙに付勢する。このため、一つの圧縮ばね２９，４０の状態により別々の役割を持たせることができる。
（第２の実施形態）
次に、本発明の第２の実施形態を図１５〜図２０に基づき説明する。
【００８８】
なお、以下の説明では、既に説明した実施形態と同一構成は、同一の符号を付すなどして、その重複する説明を簡略又は省略する。
図１５及び図１６に基づき、間仕切りパネル１１内に実装されるロック装置１９について説明する。なお、間仕切りパネル１１には、上縁部１１ａ側（天井面Ｔ側）と、下縁部１１ｂ（床面Ｙ側）とにロック装置１９がそれぞれ実装される。以下の説明では、上縁部１１ａ，１４ａ側（天井面Ｔ側）に実装されるロック装置１９について中心に説明し、下縁部１１ｂ，１４ｂ側（床面Ｙ側）に実装されるロック装置１９については、その重複する説明を省略する。
【００８９】
図１５及び図１６に示すように、ロック装置１９は、支持板２１と、支持板２２とを連結するとともに、支持板２２と、昇降板２５とを連結するリンク部材４２を備えている。リンク部材４２は、側面視長方形の平板状であって、その両端が半円状に形成され、両端で半円の径を異ならせている。そして、半円の径の小さい小径部４２ａ側であって、下方片４２ｃには、切り欠き部４２ｅが形成されているとともに、ピンなどを挿通可能な３箇所の貫通孔４２ｆ、貫通孔４２ｇ及び貫通孔４２ｈが形成されている。
【００９０】
一方、半円の径が小径部４２ａに比較して大きい大径部２７ｂ側には、第４溝４３が形成されている。第４溝４３は、後述する連結ピンＰ３の移動方向を規制するように形成されている。また、第４溝４３は、リンク部材４２の中央部から大径部４２ｂに向うように直線状に形成されている。
【００９１】
また、リンク部材４２は、長辺方向周縁に一対の側壁４２ｉ及び側壁４２ｊが垂直に立設され、側面視凹状（チャネル状）に形成されている。なお、側壁４２ｉ，４２ｊには、対向するように、貫通孔４２ｆと、貫通孔４２ｇと、貫通孔４２ｈと、第４溝４３とが形成されている。また、本実施形態のロック装置１９では、支持板２１、支持板２２及び昇降板２５の側壁２１ａ，２２ａ，２５ａ側を連結するとともに、側壁２１ｂ，２２ｂ、２５ｂ側を連結するため、該ロック装置１９の全体で２つのリンク部材４２を備えることとなる。
【００９２】
次に、組み付けた状態のロック装置１９について図１５に基づき説明する。
ロック装置１９では、各側壁２２ａ，２２ｂの各対向する第１溝２３と、各貫通孔２１ｃと、各リンク部材４２の貫通孔４２ｆとは、夫々連結ピンＰ１により連結されるようになっている。この結果、支持板２１と支持板２２が連結されるとともに、リンク部材４２も支持板２１，２２に連結されるようになっている。
【００９３】
支持板２２とリンク部材４２では、支持板２２の各側壁２２ａ，２２ｂに形成された各対向する第２溝２４と、各第２溝２４に配設される各リンク部材４２の貫通孔４２ｈとが夫々連結ピンＰ２により連結されるようになっている。支持板２２とリンク部材４２では、支持板２２の各側壁２２ａ，２２ｂに形成された各対向する第２溝２４と、各第２溝２４に配設される各リンク部材４２の貫通孔４２ｆとが夫々連結ピンＰ２により連結されるようになっている。昇降板２５とリンク部材４２では、昇降板２５の各側壁２５ａ，２５ｂに形成された各対向する第３溝２６と、各第３溝２６に配設される各リンク部材４２の第４溝４３とが夫々連結ピンＰ３により連結されるようになっている。また、圧縮ばね２９は、その一端２９ａが連結ピンＰ３に連結されるとともに、その他端２９ｂが連結ピンＰ６によりリンク部材４２の貫通孔４２ｇに連結されている。
【００９４】
この結果、支持板２２と昇降板２５とは、リンク部材４２と圧縮ばね２９を介して連結されるとともに、引っ張りばね３０を介して連結されるようになっている。また、リンク部材４２には、圧縮ばね２９の両端（リンク部材４２の第４溝４３に一端２９ａが、リンク部材４２の貫通孔４２ｇに他端２９ｂ）が連結されている。
【００９５】
本実施形態のロック装置１９では、各連結ピンＰ１〜Ｐ３，Ｐ６により連結される支持板２２、昇降板２５、圧縮ばね２９、リンク部材４２によりリンク機構が構成されるようになっている。すなわち、４箇所で連結されるリンク機構が構成されている。また、本実施形態では、連結ピンＰ６で連結される連結部が第４の連結部となる。
【００９６】
次に、間仕切りパネル１１に実装されるロック装置１９の動作態様について説明する。以下の説明では、ロック装置１９において、支持板２１は、動かないように固定されているとともに、昇降板２５の移動方向である上方又は下方には、天井面Ｔ又は床面Ｙが存在しているものとする。
【００９７】
図１７に示すように、ロック装置１９では、各連結ピンＰ１〜Ｐ３が初期位置Ｓとなるようになっている。そして、ロッド１８に対して当該ロッド１８のロック装置１９が接続されている側とは逆方向から力（間仕切りパネル１１同士が衝突する衝突力など）を加えることにより、支持板２２が支持板２１に対して移動する。すなわち、連結ピンＰ１と連結ピンＰ２が初期位置Ｓに比較して水平距離で近づいている第１状態（図１７の状態）となる。
【００９８】
続いて、連結ピンＰ２の移動に関連して、圧縮ばね２９により連結ピンＰ３と連結ピンＰ６は、離間される方向に付勢されている。すなわち、連結ピンＰ３は、一定の距離を保とうとし、連結ピンＰ３も第４溝４３に沿って上方に移動する。その結果、昇降板２５が支持板２１に対して上昇（離間）する方向に移動することになる。
【００９９】
さらに、ロッド１８に力が加えられ、支持板２１に対して支持板２２の移動量を増やすと、図１８に示すように、連結ピンＰ１と連結ピンＰ２の水平距離が第１状態に比較してさらに近づき、第２状態（図１８の状態）となる。第２状態のロック装置１９では、連結ピンＰ２は、第２溝２４に沿って、第１状態からさらに上方に移動している状態である。
【０１００】
さらに、ロッド１８に力が加えられ、支持板２１に対して支持板２２の移動量が増えると、図１９に示すように、連結ピンＰ１と連結ピンＰ２の水平距離がさらに近づき（鉛直直線状に並ぶ）、第３状態（図１９の状態）となる。第３状態のロック装置１９において連結ピンＰ２は、第２溝２４に沿って、第１状態からさらに上方に移動している状態である。また、連結ピンＰ２は、さらに上方に移動するため、リンク部材２７が傾いている状態から連結ピンＰ２を回動中心としてさらに回動する（連結ピンＰ１と連結ピンＰ２の位置関係は、直角に近い角）ようになっている。
【０１０１】
さらに、ロッド１８に力が加えられ、支持板２１に対する支持板２２の移動量が増えると、図２０に示すように、連結ピンＰ１と連結ピンＰ２の位置が逆転し、第４状態（図２０の状態）となる。なお、本実施形態の構成により先頭パネル１４のロック装置２０を構成することも可能である。すなわち、ロック装置２０は、連結ピンＰ１〜Ｐ３，Ｐ６から構成されるリンク機構を備えることとなる。
【０１０２】
したがって、本実施形態によれば、第１の実施形態の効果（１），（２），（４），（５）及び（８）と同様の効果に加えて以下に示す効果を得ることができる。
（９）リンク機構は、４つの連結ピンＰ１〜Ｐ３及びＰ６から構成され、４箇所がリンクして昇降板２５を昇降させるようにした。このため、ロック装置１９において、各連結ピンＰ１〜Ｐ３，Ｐ６の役割を細分化して１つのピンに掛かる負荷を分散させることができる。
【０１０３】
なお、上記実施形態は、以下のように変更しても良い。
・各実施形態において、先頭パネル１４を設けないようにしても良い。すなわち、先頭となる間仕切りパネル１１は、ロッド１８を直接召し合わせ框１３に押し当てることとなる。
【０１０４】
・各実施形態において、ロック装置１９及びロック装置２０は、上縁部１１ａ，１４ａ及び下縁部１１ｂ，１４ｂのいずれか一方に実装するようにしても良い。上縁部１１ａ，１４ａ又は下縁部１１ｂ，１４ｂのいずれかにロック装置１９及びロック装置２０を実装する場合には、天井面Ｔ又は床面Ｙのいずれかに接圧される接圧力により、間仕切りパネル１１（先頭パネル１４）は、該両面間に固定される。
【０１０５】
・各実施形態において、上縁部１１ａ，１４ａに実装されるロック装置では、第２の付勢手段としての引っ張りばね３０，４１を配設しなくても良い。この場合、昇降板２５，３６は、間仕切りパネル１１及び先頭パネル１４の天井面Ｔ及び床面Ｙに対する固定の解除時、該昇降板２５，３６の自重により間仕切りパネル１１及び先頭パネル１４に近づく方向（接圧面としての天井面Ｔ及び床面Ｙから離間する方向）に移動することができる。
【０１０６】
・各実施形態において、第２溝２４，３５及び第４溝２８，４３を直線状に形成するようにしても良い。
・各実施形態において、昇降板２５は、斜めに昇降可能であっても良い。
【図面の簡単な説明】
【０１０７】
【図１】間仕切りパネルの設置方法を示す説明図。
【図２】間仕切りパネルの設置方法を示す説明図。
【図３】（ａ）は、組み付けた状態のロック装置を示す正面図、（ｂ）は、組み付けた状態のロック装置を示す側面図。
【図４】（ａ）〜（ｅ）は、ロック装置を構成する部材を示す正面図。
【図５】（ａ）は、組み付けた状態の先頭用のロック装置を示す正面図、（ｂ）は、組み付けた状態の先頭用のロック装置を示す側面図。
【図６】（ａ）〜（ｅ）は、先頭用のロック装置を構成する部材を示す正面図。
【図７】間仕切りパネルに実装されるロック装置の動作態様を示す態様図。
【図８】間仕切りパネルに実装されるロック装置の動作態様を示す態様図。
【図９】間仕切りパネルに実装されるロック装置の動作態様を示す態様図。
【図１０】間仕切りパネルに実装されるロック装置の動作態様を示す態様図。
【図１１】先頭パネルに実装されるロック装置の動作態様を示す態様図。
【図１２】先頭パネルに実装されるロック装置の動作態様を示す態様図。
【図１３】先頭パネルに実装されるロック装置の動作態様を示す態様図。
【図１４】先頭パネルに実装されるロック装置の動作態様を示す態様図。
【図１５】（ａ）は、組み付けた状態のロック装置を示す正面図、（ｂ）は、組み付けた状態のロック装置を示す側面図。
【図１６】（ａ）〜（ｅ）は、ロック装置を構成する部材を示す正面図。
【図１７】間仕切りパネルに実装されるロック装置の動作態様を示す態様図。
【図１８】間仕切りパネルに実装されるロック装置の動作態様を示す態様図。
【図１９】間仕切りパネルに実装されるロック装置の動作態様を示す態様図。
【図２０】間仕切りパネルに実装されるロック装置の動作態様を示す態様図。
【符号の説明】
【０１０８】
Ｔ…天井面、Ｙ…床面、Ｐ１〜Ｐ６…連結ピン、１０…ハンガーレール、１１…間仕切りパネル、１４…先頭パネル、１５…接圧部材、１７ａ…召し合わせ面、１８…ロッド、１９，２０…ロック装置、２１，２２，３２，３３…支持板、２３，３４…第１溝、２４，３５…第２溝、２５，３６…昇降板、２６，３７…第３溝、２７，３８，４２…リンク部材、２８，３９，４３…第４溝、２９，４０…圧縮ばね、３０，４１…引っ張りばね。
【図１】
0004778791.tif 000002
【図２】
0004778791.tif 000003
【図３】
0004778791.tif 000004
【図４】
0004778791.tif 000005
【図５】
0004778791.tif 000006
【図６】
0004778791.tif 000007
【図７】
0004778791.tif 000008
【図８】
0004778791.tif 000009
【図９】
0004778791.tif 000010
【図１０】
0004778791.tif 000011
【図１１】
0004778791.tif 000012
【図１２】
0004778791.tif 000013
【図１３】
0004778791.tif 000014
【図１４】
0004778791.tif 000015
【図１５】
0004778791.tif 000016
【図１６】
0004778791.tif 000017
【図１７】
0004778791.tif 000018
【図１８】
0004778791.tif 000019
【図１９】
0004778791.tif 000020
【図２０】
0004778791.tif 000021